(57)【要約】【課題】組立工程が簡素化され、かつ精度の高い扉開閉検知装置を提供する。【解決手段】第１可動磁石１２ａおよび第２可動磁石１２ｂは、第１扉２ａおよび第２扉２ｂに取り付けられている。固定磁石９は閉状態の場合に第１可動磁石１２ａおよび第２可動磁石１２ｂと磁気回路を形成するように枠に取り付けられている。第１磁性体部１０ａおよび第２磁性体部１０ｂのそれぞれは、磁気回路から漏れた漏洩磁界を通すように固定磁石９の第１および第２磁極に取り付けられている。第１磁性体部１０ａおよび第２磁性体部１０ｂの間の距離は、第１扉２ａおよび第２扉２ｂが共に閉状態の場合に、第１可動磁石１２ａおよび第２可動磁石１２ｂの間の距離と、第１可動磁石１２ａと第１磁性体部１０ａとの距離と、第２可動磁石１２ｂと第２磁性体部１０ｂとの距離との合計距離よりも大きい。磁気スイッチ７は漏洩磁界の強度に対応して作動されるものである。【選択図】図２
2010048487.tif 000002
【特許請求の範囲】
【請求項１】
枠に対して開閉可能に取り付けられた第１および第２扉の開閉状態を検知するための扉開閉検知装置であって、
前記第１および第２扉のそれぞれに取り付けられた第１および第２可動磁石と、
第１磁極と、前記第１磁極と極性の異なる第２磁極とを有し、前記第１および第２扉が共に閉状態の場合に前記第１および第２可動磁石と磁気回路を形成するように前記枠に取り付けられた固定磁石と、
前記磁気回路から漏れた漏洩磁界を通すように前記第１および第２磁極のそれぞれに取り付けられた第１および第２磁性体部とを備え、
前記第１および第２磁性体部の間の距離は、前記第１および第２扉が共に閉状態の場合に、前記第１および第２可動磁石間の距離と、前記第１可動磁石と前記第１磁性体部との距離と、前記第２可動磁石と前記第２磁性体部との距離との合計距離よりも大きく、
前記漏洩磁界の強度に対応して作動される磁気スイッチをさらに備えた、扉開閉検知装置。
【請求項２】
前記第１および第２磁性体部のそれぞれは、互いに傾斜して対向する第１および第２面を有する、請求項１に記載の扉開閉検知装置。
【請求項３】
前記枠は冷蔵庫の枠である、請求項１または２に記載の扉開閉検知装置。
【請求項４】
前記第１および第２扉の各々は回転扉である、請求項１〜３のいずれかに記載の扉開閉検知装置。
【請求項５】
前記第１および第２扉のそれぞれは、第１および第２引き出し扉である、請求項１〜４のいずれかに記載の扉開閉検知装置。
【請求項６】
前記枠は、前記第１および第２引き出し扉のそれぞれにより覆われる第１および第２室を互いに仕切る、請求項５に記載の扉開閉検知装置。
【請求項７】
前記磁気スイッチを覆うカバーをさらに備えた、請求項１〜６のいずれかに記載の扉開閉検知装置。
【発明の詳細な説明】
【技術分野】
【０００１】
本発明は、扉開閉検知装置に関し、特に、複数の扉の開閉状態を検知するための扉開閉検知装置に関するものである。
【背景技術】
【０００２】
冷蔵庫の複数の扉の開閉状態を検知するための方法として、各扉ごとに独立した扉開閉検知装置を設ける方法以外に、１組のスイッチを設ける方法が提案されている。
【０００３】
たとえば特開２００７−２４４６２号公報（特許文献１）によれば、所定の収容室の前面を開閉自在に設けられたドアの開閉状態を検知するために、扉開閉検知機構は、以下の構成を有する。
【０００４】
扉開閉検知機構は、非接触近接スイッチを用いる。非接触スイッチは、所定の第１の手段およびその第１の手段との近接状態に応じてＯＮ／ＯＦＦ状態が切り替わる第２の手段を有する。複数の扉が閉じられたときに各々の所定の端部が接触もしくは近接するよう並べて配列されている。複数のドアの所定の端部のうちの１つに第１の手段が，その他に第２の手段が設けられる。特に、第１の手段として磁石を、第２の手段として磁気スイッチを用いれば、磁石側については配線が不要となり特に好適である。
【０００５】
この公報によれば、上記構成によって、２つのドアについて１組の非接触近接スイッチ手段を設けるだけでよく，複数のドア各々に設ける場合に比べてコストや機器取り付けの工数を抑制できる、とされている。
【特許文献１】特開２００７−２４４６２号公報
【発明の開示】
【発明が解決しようとする課題】
【０００６】
このような扉開閉検知装置にあっては、扉の半開状態でも磁気スイッチは対向する磁石の磁界の影響を受け、磁気スイッチがオン（またはオフ）し、扉が閉状態と誤認識するという問題点がある。また、扉側に磁気スイッチと磁石を備えているため、扉が引き出し扉である場合、複数の引き出し扉が同時に開いた状態を閉状態と誤認識し得るという問題点がある。
【０００７】
この発明は、上記のような問題点を解決するためになされたものであり、扉開閉検知装置を有する製品の組立工程を簡素化し、かつ正確に扉開閉状態を検知できる扉開閉検知装置を得ることを目的としている。
【課題を解決するための手段】
【０００８】
本発明の扉開閉検知装置は、枠に対して開閉可能に取り付けられた第１および第２扉の開閉状態を検知するための扉開閉検知装置であって、第１および第２可動磁石と、固定磁石と、第１および第２磁性体部と、磁気スイッチとを有する。
【０００９】
第１および第２可動磁石のそれぞれは、第１および第２扉に取り付けられている。固定磁石は、第１磁極と、第１磁極と極性の異なる第２磁極とを有し、第１および第２扉が共に閉状態の場合に第１および第２可動磁石と磁気回路を形成するように枠に取り付けられている。第１および第２磁性体部のそれぞれは、磁気回路から漏れた漏洩磁界を通すように第１および第２磁極に取り付けられている。第１および第２磁性体部の間の距離は、第１および第２扉が共に閉状態の場合に、第１および第２可動磁石間の距離と、第１可動磁石と第１磁性体部との距離と、第２可動磁石と第２磁性体部との距離との合計距離よりも大きい。磁気スイッチは漏洩磁界の強度に対応して作動されるものである。
【発明の効果】
【００１０】
本発明の扉開閉検出装置によれば、第１および第２扉の少なくともいずれかが開かれることにより、第１および第２扉が共に閉じた状態において形成される磁気回路から漏洩磁界が生じる。よってこの漏洩磁界を検出することで、第１および第２扉の少なくともいずれかが開状態であることを高い精度で検知することができる。
【００１１】
また１つの磁気スイッチで複数の扉の開閉状態が検知されるので、必要な磁気スイッチの数を減らすことができる。よって扉開閉検知装置を有する製品の組立工程を簡素化することができる。
【発明を実施するための最良の形態】
【００１２】
以下、本発明の実施の形態について図に基づいて説明する。
（実施の形態１）
本実施の形態の扉開閉検知装置は、冷蔵庫の回転扉の開閉状態を検知する扉開閉検知装置であり、固定部と、第１および第２可動部とを有する。以下に、この扉開閉検知装置が冷蔵庫本体に取り付けられた構成について説明する。
【００１３】
図１は、本発明の実施の形態１における扉開閉検知装置が取り付けられた冷蔵庫の構成を概略的に示す斜視図である。
【００１４】
図１を参照して、冷蔵庫本体１は、仕切り（枠）５ａ、５ｂと、第１および第２回転扉２ａ、２ｂと、第１および第２引き出し扉６ａ、６ｂとを有する。仕切り５ａ、５ｂは、冷蔵室、冷凍室、野菜室などの複数の部屋を区分けしている。第１および第２回転扉２ａ、２ｂは、仕切り５ａに対して開閉可能に取り付けられている。また第１および第２引き出し扉６ａ、６ｂは、仕切り５ｂに対して開閉可能に取り付けられている。
【００１５】
なお図１においては、第１および第２の回転扉２ａ、２ｂは開状態であり、第１および第２の引き出し扉６ａ、６ｂは閉状態である。
【００１６】
扉開閉検知装置の固定部４は、仕切り５ａの前面上（回転扉２ａ、２ｂに面する部分の上）に取り付けられている。また第１および第２可動部３ａ、３ｂのそれぞれは、第１および第２回転扉２ａ、２ｂの下端部に取り付けられている。
【００１７】
図２は、本発明の実施の形態１における扉開閉検知装置が取り付けられた冷蔵庫の扉開閉検知装置近傍の構成を概略的に示す図であり、断面図（ａ）、および、第１磁性体部と第２磁性体部と第１可動磁石と第２可動磁石との間の距離を示す図（ｂ）である。図３は、本発明の実施の形態１における扉開閉検知装置の固定部の構成を概略的に示す分解斜視図である。
【００１８】
図２および図３を参照して、仕切り５ａは、金属板１４と、仕切り板１５とを有する。金属板１４は、仕切り板１５を覆っている。
【００１９】
固定部４は、固定磁石９、第１および第２磁性体部１０ａ、１０ｂ、リードスイッチ７（磁気スイッチ）、プリント基板８、コネクタ１６、およびカバー１１を有する。
【００２０】
固定磁石９は、第１磁極Ｂ１と、第１磁極Ｂ１と極性の異なる第２磁極Ｂ２とを有する。すなわち第１および第２磁極の一方がＮ極とされ、他方がＳ極とされる。本実施の形態においては、第１磁極Ｂ１がＮ極とされ、第２磁極Ｂ２がＳ極とされている。
【００２１】
第１および第２磁性体部１０ａ、１０ｂのそれぞれは、第１および第２磁極Ｂ１、Ｂ２に取り付けられている。第１および第２磁性体部１０ａ、１０ｂの間は、距離Ｌだけ離れている。第１および第２磁性体部１０ａ、１０ｂのそれぞれは、互いに傾斜して対向する第１および第２面Ｓ１、Ｓ２を有する。
【００２２】
リードスイッチ７は、磁気スイッチであり、外部からの磁界により作動するスイッチである。カバー１１は、樹脂成型部品であり、第１および第２磁性体部１０ａ、１０ｂ、固定磁石９、リードスイッチ７（磁気スイッチ）、およびプリント基板８を覆っている。リードスイッチ７およびコネクタ１６は半田付けなどでプリント基板８に固定されている。リードスイッチ７は、コネクタ１６およびコネクタ１６に接続された電線（図示せず）を介して、制御装置（図示せず）と電気的に接続されている。
【００２３】
第１可動部３ａは、第１可動磁石１２ａと、第１可動磁石１２ａを覆う成型部品１３ａとを有する。また第２可動部３ｂは、第２可動磁石１２ｂと、第２可動磁石１２ｂを覆う成型部品１３ｂとを有する。第１および第２可動磁石１２ａ、１２ｂの間は、距離Ｍだけ離れている。
【００２４】
第１回転扉２ａが閉じた状態では、磁性体部１０ａと第１可動磁石１２ａとの間は距離Ｐだけ離れている。また第２回転扉２ｂが閉じた状態では、磁性体部１０ｂと第２可動磁石１２ｂとの間は距離Ｑだけ離れている。
【００２５】
固定部４と、第１および第２可動部３ａ、３ｂとは、上記の距離Ｌ、Ｍ、Ｐ、の間で、Ｌ＞Ｐ＋Ｑ＋Ｍの関係が成り立つように配置されている。
【００２６】
なお、固定部４は、図４に示すように、磁気スイッチとして、リードスイッチ７の代わりにホールＩＣ１８を有してもよい。
【００２７】
次に、本実施の形態の扉開閉検知装置の動作について説明する。
図５は、本発明の実施の形態１における扉開閉検知装置が取り付けられた冷蔵庫の第１および第２回転扉が閉じている状態を概略的に示す断面図である。
【００２８】
主に図５を参照して、Ｌ＞Ｐ＋Ｑ＋Ｍ（図２（ｂ））の関係が成り立っていることから、固定磁石９からの磁界は第１および第２回転扉２ａ、２ｂ側に流れる。すなわち固定磁石９と、第１および第２可動磁石１２ａ、１２ｂとにより磁気回路ＣＣが形成される。この結果、リードスイッチ７が固定磁石９から磁界を受けなくなる。リードスイッチ７は、磁界が小さい状態においてオフ（またはオン）状態となる。よって、リードスイッチ７がオフ（またはオン）であることを制御装置が検知することで、第１および第２回転扉２ａ、２ｂが閉状態であることが検知される。この閉状態に対応して、制御装置は、庫内灯、ファンモータなどの制御を行う。
【００２９】
図６は、本発明の実施の形態１における扉開閉検知装置が取り付けられた冷蔵庫の第１および第２回転扉が開いている状態を概略的に示す断面図である。
【００３０】
主に図６を参照して、第１および第２可動部３ａ、３ｂが共に固定部４から離れるため、固定磁石９により生じる磁界は磁気回路ＣＣ（図５）から漏れた漏洩磁界を生じる。この漏洩磁界は、第１および第２磁性体部１０ａ、１０ｂを経由する磁気回路ＣＯを形成する。磁気回路ＣＯは、互いに傾斜して対向する第１および第２面Ｓ１、Ｓ２の間の領域を通る。この領域にリードスイッチ７が配置されているので、漏洩磁界によりリードスイッチ７が作動し、オン（またはオフ）状態となる。よって、リードスイッチ７がオン（またはオフ）であることを制御装置が検知することで、開状態であることが検知される。この開状態に対応して、制御装置は、庫内灯、ファンモータなどの制御を行う。
【００３１】
図７は、本発明の実施の形態１における扉開閉検知装置が取り付けられた冷蔵庫の第１回転扉が開いており、かつ第２回転扉が閉じている状態を概略的に示す断面図である。
【００３２】
主に図７を参照して、第１回転扉２ａ（図７において図示せず）が固定部４から離れるため、固定磁石９により生じる磁界は磁気回路ＣＣ（図５）から漏れた漏洩磁界を生じる。この漏洩磁界は、第１および第２磁性体部１０ａ、１０ｂを経由する磁気回路ＣＯを形成する。よって、上記と同様に、開状態であることが検知される。
【００３３】
なお第２可動磁石１２ｂにより生じる磁界は、固定磁石９を経由して第２可動磁石１２ｂに戻る磁気回路Ｃ２を通るので、リードスイッチ７に影響を与えない。
【００３４】
図８は、本発明の実施の形態１における扉開閉検知装置が取り付けられた冷蔵庫の第１回転扉が閉じており、かつ第２回転扉が開いている状態を概略的に示す断面図である。
【００３５】
主に図８を参照して、第２回転扉２ｂ（図８において図示せず）が固定部４から離れるため、固定磁石９により生じる磁界は磁気回路ＣＣ（図５）から漏れた漏洩磁界を生じる。この漏洩磁界は、第１および第２磁性体部１０ａ、１０ｂを経由する磁気回路ＣＯを形成する。よって、上記と同様に、開状態であることが検知される。
【００３６】
なお第１可動磁石１２ａにより生じる磁界は、固定磁石９を経由して第１可動磁石１２ａに戻る磁気回路Ｃ１を通るので、リードスイッチ７に影響を与えない。
【００３７】
図９は、本発明の実施の形態１における扉開閉検知装置が取り付けられた冷蔵庫の第１回転扉が閉じており、かつ第２回転扉がわずかに開いている状態を概略的に示す断面図である。
【００３８】
主に図９を参照して、第２回転扉２ｂがわずかに開いている状態、すなわち半開状態では、第１および第２可動磁石１２ａ、１２ｂの間の距離は距離Ｍ（図２（ｂ））から距離Ｍｈに増大し、磁性体部１０ｂと第２可動磁石１２ｂとの間の距離は距離Ｑ（図２（ｂ））から距離Ｑｈに増大する。このため、ある程度を超えて第２回転扉２ｂが開くと、Ｌ＜Ｐ＋Ｑｈ＋Ｍｈの関係が成り立つ。この結果、固定磁石９により生じる磁界は磁気回路ＣＣ（図５）から漏れた漏洩磁界を生じる。この漏洩磁界は、第１および第２磁性体部１０ａ、１０ｂを経由する磁気回路ＣＯを形成する。よって、上記と同様に、開状態であることが検知される。
【００３９】
なお第１可動磁石１２ａにより生じる磁界は、固定磁石９を経由して第１可動磁石１２ａに戻る磁気回路Ｃ１を通るので、リードスイッチ７に影響を与えない。
【００４０】
本実施の形態によれば、第１および第２回転扉２ａ、２ｂの少なくともいずれかが開かれること（図６〜図９）により、第１および第２回転扉２ａ、２ｂが共に閉じた状態において形成される磁気回路ＣＣ（図５）から漏洩磁界が生じる。この漏洩磁界は、第１および第２磁性体部１０ａ、１０ｂとリードスイッチ７とを経由する磁気回路ＣＯを通る。よってリードスイッチ７により漏洩磁界が検出されるので、第１および第２回転扉２ａ、２ｂの少なくともいずれかが開状態であることを確実に検知することができる。
【００４１】
また第１および第２回転扉２ａ、２ｂ、すなわち複数の扉の開閉状態が１つのリードスイッチ７で検知されるので、必要なリードスイッチの数を減らすことができる。よって冷蔵庫本体１に扉開閉検知装置を取り付ける工程を簡素化することができる。
【００４２】
また第１および第２面Ｓ１、Ｓ２は互いに傾斜して対向するので、第１および第２面Ｓ１、Ｓ２の間に漏洩磁界を集中させることができる。これにより、リードスイッチ７による漏洩磁界の検知をより確実に行なうことができる。
【００４３】
また仕切り５ａは、冷蔵庫本体１の枠である。これにより扉開閉検知装置は冷蔵庫の扉開閉検知装置として機能することができる。
【００４４】
また第１および第２回転扉２ａ、２ｂは回転扉である。よって扉開閉検知装置は回転扉の扉開閉検知装置として機能することができる。
【００４５】
またリードスイッチ７はカバー１１を有するので、水、埃などの異物に起因した腐食によりリードスイッチ７が誤動作することを防止することができる。またカバー１１が樹脂成型部品である場合、カバー１１自体の腐食が生じ難いので、カバー１１内のリードスイッチ７を、より確実に腐食から保護することができる。
【００４６】
（実施の形態２）
本実施の形態の扉開閉検知装置は、冷蔵庫の引き出し扉６ａ、６ｂ（図１）の開閉状態を検知する扉開閉検知装置であり、固定部と、第１および第２可動部とを有する。以下に、この扉開閉検知装置が冷蔵庫本体に取り付けられた構成について説明する。
【００４７】
図１０は、本発明の実施の形態２における扉開閉検知装置が取り付けられた冷蔵庫の扉開閉検知装置近傍の構成を概略的に示す断面図である。図１１は、図１０の線ＸＩ−ＸＩに沿った概略断面図である。図１２は、図１１の線ＸＩＩ−ＸＩＩに沿った概略断面図である。
【００４８】
図１０〜図１２を参照して、実施の形態１と同様の扉開閉検知装置の固定部４は、仕切り５ｂの前面上に取り付けられている。仕切り５ｂは、第１および第２引き出し扉６ａ、６ｂのそれぞれにより覆われる第１および第２室を互いに仕切っている。第１および第２室の各々は、たとえば冷蔵室、冷凍室、または野菜室である。第１および第２引き出し扉６ａ、６ｂのそれぞれは、仕切り５ｂの下方および上方に設けられている。仕切り５ｂは、金属板２０と、仕切り板２１とを有する。金属板２０は、仕切り５ｂの第１および第２引き出し扉６ａ、６ｂ側に配置されている。
【００４９】
なお図１０に示すように、第１および第２引き出し扉６ａ、６ｂの仕切り５ｂに面する面上にはガスケット１９が設けられている。
【００５０】
第１可動部２４ａは、第１引き出し扉６ａの上端部に取り付けられている。第２可動部２４ｂは、第２引き出し扉６ｂの下端部に取り付けられている。第１可動部２４ａは、第１可動磁石２２ａと、成型部品２３ａとを有する。また第２可動部２４ｂは、第２可動磁石２２ｂと、成型部品２３ｂとを有する。第１および第２可動磁石２２ａ、２２ｂのそれぞれは、成型部品２３ａおよび２３ｂに覆われている。
【００５１】
第１および第２引き出し扉６ａ、６ｂが閉じている状態（図１０〜図１２に示される状態）で、第１および第２可動磁石２２ａ、２２ｂの間の距離と、磁性体部１０ａと第１可動磁石２２ａとの間の距離と、磁性体部１０ｂと第２可動磁石２２ｂとの間の距離とのそれぞれは、距離Ｍ２と距離Ｐ２と距離Ｑ２とである。これらの距離の間でＬ＞Ｐ２＋Ｑ２＋Ｍ２の関係が成り立つように、固定部４と、第１および第２可動部２４ａ、２４ｂとが配置されている。
【００５２】
なお、第１および第２可動磁石２２ａ、２２ｂの間の距離Ｍ２は、第１および第２可動磁石２２ａ、２２ｂの間の最短距離である。よって第１および第２可動部２４ａ、２４ｂが図１２に示すように互いに同一軸上に位置しないように配置されている場合、距離Ｍ２は、厳密には、図１２における斜め方向に沿った距離である。
【００５３】
次に、本実施の形態の扉開閉検知装置の動作について説明する。
図１３は、本発明の実施の形態２における扉開閉検知装置が取り付けられた冷蔵庫の第１および第２引き出し扉が閉じている状態を概略的に示す断面図である。
【００５４】
主に図１３を参照して、Ｌ＞Ｐ２＋Ｑ２＋Ｍ２（図１１）の関係が成り立っていることから、固定磁石９からの磁界は第１引き出し扉６ａ（図１３において図示せず）および第２引き出し扉６ｂの側に流れる。すなわち固定磁石９と、第１および第２可動磁石２２ａ、２２ｂとにより磁気回路ＣＣが形成される。この結果、リードスイッチ７が固定磁石９から磁界を受けなくなる。リードスイッチ７は、磁界が小さい状態においてオフ（またはオン）状態となる。よって、リードスイッチ７がオフ（またはオン）であることを制御装置が検知することで、第１および第２引き出し扉６ａ、６ｂが閉状態であることが検知される。この閉状態に対応して、制御装置は、庫内灯、ファンモータなどの制御を行う。
【００５５】
図１４は、本発明の実施の形態２における扉開閉検知装置が取り付けられた冷蔵庫の第１および第２引き出し扉が開いている状態を概略的に示す断面図である。
【００５６】
主に図１４を参照して、第１および第２可動部２４ａ、２４ｂが共に固定部４から離れるため、固定磁石９により生じる磁界は磁気回路ＣＣ（図１３）から漏れた漏洩磁界を生じる。この漏洩磁界は、第１および第２磁性体部１０ａ、１０ｂを経由する磁気回路ＣＯを形成する。磁気回路ＣＯは、互いに傾斜して対向する第１および第２面Ｓ１、Ｓ２の間の領域を通る。この領域にリードスイッチ７が配置されているので、漏洩磁界によりリードスイッチ７が作動し、オン（またはオフ）状態となる。よって、リードスイッチ７がオン（またはオフ）であることを制御装置が検知することで、開状態であることが検知される。この開状態に対応して、制御装置は、庫内灯、ファンモータなどの制御を行う。
【００５７】
図１５は、本発明の実施の形態２における扉開閉検知装置が取り付けられた冷蔵庫の第１引き出し扉が開いており、かつ第２引き出し扉が閉じている状態を概略的に示す断面図である。
【００５８】
主に図１５を参照して、第１引き出し扉６ａ（図１５において図示せず）が固定部４から離れるため、固定磁石９の第１磁極Ｂ１により生じる磁界は磁気回路ＣＣ（図５）から漏れた漏洩磁界を生じる。この漏洩磁界は、第１および第２磁性体部１０ａ、１０ｂを経由する磁気回路ＣＯを形成する。よって、上記と同様に、開状態であることが検知される。
【００５９】
なお第２可動磁石２２ｂにより生じる磁界は、固定磁石９を経由して第２可動磁石２２ｂに戻る磁気回路Ｃ２を通るので、リードスイッチ７に影響を与えない。
【００６０】
図１６は、本発明の実施の形態２における扉開閉検知装置が取り付けられた冷蔵庫の第１引き出し扉が閉じており、かつ第２引き出し扉が開いている状態を概略的に示す断面図である。
【００６１】
主に図１６を参照して、第２引き出し扉６ｂ（図１６において図示せず）が固定部４から離れるため、固定磁石９により生じる磁界は磁気回路ＣＣ（図１３）から漏れた漏洩磁界を生じる。この漏洩磁界は、第１および第２磁性体部１０ａ、１０ｂを経由する磁気回路ＣＯを形成する。よって、上記と同様に、開状態であることが検知される。
【００６２】
なお第２可動磁石２２ｂにより生じる磁界は、固定磁石９を経由して第２可動磁石２２ｂに戻る磁気回路Ｃ２を通るので、リードスイッチ７に影響を与えない。
【００６３】
図１７は、本発明の実施の形態２における扉開閉検知装置が取り付けられた冷蔵庫の第１引き出し扉が閉じており、かつ第２引き出し扉がわずかに開いている状態を概略的に示す断面図である。
【００６４】
主に図１７を参照して、第２引き出し扉６ｂがわずかに開いている状態、すなわち半開状態では、第１および第２可動磁石２２ａ、２２ｂの間の距離は距離Ｍ２（図１１）から距離Ｍ２ｈに増大し、磁性体部１０ｂと第２可動磁石２２ｂとの間の距離は距離Ｑ２（図１１）から距離Ｑ２ｈに増大する。このため、ある程度を超えて第２引き出し扉６ｂが開くと、Ｌ＜Ｐ２＋Ｑ２ｈ＋Ｍ２ｈの関係が成り立つ。この結果、固定磁石９により生じる磁界は磁気回路ＣＣ（図１３）から漏れた漏洩磁界を生じる。この漏洩磁界は、第１および第２磁性体部１０ａ、１０ｂを経由する磁気回路ＣＯを形成する。よって、上記と同様に、開状態であることが検知される。
【００６５】
なお第１可動磁石２２ａにより生じる磁界は、固定磁石９を経由して第１可動磁石２２ａに戻る磁気回路Ｃ１を通るので、リードスイッチ７に影響を与えない。
【００６６】
本実施の形態によれば、開閉状態が検知される扉が引き出し扉である場合においても、実施の形態１と同様の効果が得られる。
【００６７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００６８】
本発明は、特に複数の扉の開閉状態を検知するための扉開閉検知装置に特に有利に適用され得る。
【図面の簡単な説明】
【００６９】
【図１】本発明の実施の形態１における扉開閉検知装置が取り付けられた冷蔵庫の構成を概略的に示す斜視図である。
【図２】本発明の実施の形態１における扉開閉検知装置が取り付けられた冷蔵庫の扉開閉検知装置近傍の構成を概略的に示す図であり、断面図（ａ）、および、第１磁性体部と第２磁性体部と第１可動磁石と第２可動磁石との間の距離を示す図（ｂ）である。
【図３】本発明の実施の形態１における扉開閉検知装置の固定部の構成を概略的に示す分解斜視図である。
【図４】本発明の実施の形態１の変形例における扉開閉検知装置の固定部の構成を概略的に示す分解斜視図である。
【図５】本発明の実施の形態１における扉開閉検知装置が取り付けられた冷蔵庫の第１および第２回転扉が閉じている状態を概略的に示す断面図である。
【図６】本発明の実施の形態１における扉開閉検知装置が取り付けられた冷蔵庫の第１および第２回転扉が開いている状態を概略的に示す断面図である。
【図７】本発明の実施の形態１における扉開閉検知装置が取り付けられた冷蔵庫の第１回転扉が開いており、かつ第２回転扉が閉じている状態を概略的に示す断面図である。
【図８】本発明の実施の形態１における扉開閉検知装置が取り付けられた冷蔵庫の第１回転扉が閉じており、かつ第２回転扉が開いている状態を概略的に示す断面図である。
【図９】本発明の実施の形態１における扉開閉検知装置が取り付けられた冷蔵庫の第１回転扉が閉じており、かつ第２回転扉がわずかに開いている状態を概略的に示す断面図である。
【図１０】本発明の実施の形態２における扉開閉検知装置が取り付けられた冷蔵庫の扉開閉検知装置近傍の構成を概略的に示す断面図である。
【図１１】図１０の線ＸＩ−ＸＩに沿った概略断面図である。
【図１２】図１１の線ＸＩＩ−ＸＩＩに沿った概略断面図である。
【図１３】本発明の実施の形態２における扉開閉検知装置が取り付けられた冷蔵庫の第１および第２引き出し扉が閉じている状態を概略的に示す断面図である。
【図１４】本発明の実施の形態２における扉開閉検知装置が取り付けられた冷蔵庫の第１および第２引き出し扉が開いている状態を概略的に示す断面図である。
【図１５】本発明の実施の形態２における扉開閉検知装置が取り付けられた冷蔵庫の第１引き出し扉が開いており、かつ第２引き出し扉が閉じている状態を概略的に示す断面図である。
【図１６】本発明の実施の形態２における扉開閉検知装置が取り付けられた冷蔵庫の第１引き出し扉が閉じており、かつ第２引き出し扉が開いている状態を概略的に示す断面図である。
【図１７】本発明の実施の形態２における扉開閉検知装置が取り付けられた冷蔵庫の第１引き出し扉が閉じており、かつ第２引き出し扉がわずかに開いている状態を概略的に示す断面図である。
【符号の説明】
【００７０】
１  冷蔵庫本体、２ａ  第１回転扉（第１扉）、２ｂ  第２回転扉（第２扉）、３ａ，２４ａ  第１可動部、３ｂ，２４ｂ  第２可動部、４  固定部、５ａ，５ｂ  仕切り（枠）、６ａ  第１引き出し扉（第１扉）、６ｂ  第２引き出し扉（第２扉）、７  リードスイッチ（磁気スイッチ）、８  プリント基板、９  固定磁石、１０ａ  第１磁性体部、１０ｂ  第２磁性体部、１１  カバー、１２ａ，２２ａ  第１可動磁石、１２ｂ，２２ｂ  第２可動磁石、１３ａ，１３ｂ，２３ａ，２３ｂ  成型部品、１４，２０  金属板、１５，２１  仕切り板、１６  コネクタ、１８  ホールＩＣ、１９  ガスケット。
【図１】
2010048487.tif 000003
【図２】
2010048487.tif 000004
【図３】
2010048487.tif 000005
【図４】
2010048487.tif 000006
【図５】
2010048487.tif 000007
【図６】
2010048487.tif 000008
【図７】
2010048487.tif 000009
【図８】
2010048487.tif 000010
【図９】
2010048487.tif 000011
【図１０】
2010048487.tif 000012
【図１１】
2010048487.tif 000013
【図１２】
2010048487.tif 000014
【図１３】
2010048487.tif 000015
【図１４】
2010048487.tif 000016
【図１５】
2010048487.tif 000017
【図１６】
2010048487.tif 000018
【図１７】
2010048487.tif 000019